(57)【要約】【課題】表面意匠の選択自由度を向上させながらも、透光部周囲に見栄え良く表面仕上シートを貼着し得る建築用パネル材を提供する。【解決手段】建築用パネル材１は、芯材１０の四周に薄板状の表面基材２０を貼着した構成とされ、かつ表面仕上シート４の貼着が可能なように四周表面２１ａ，２１ａ，２２ａ，２４ａが易貼着性の下地面とされた素パネル２と、該素パネルの厚さ方向両側において露出するように設けられた透光部材４０と、を備えており、前記素パネルの厚さ方向両側において露出する前記透光部材の外周縁４３，４３に沿って前記表面仕上シートの切断が可能なように、前記素パネルの四周表面に前記表面仕上シートが貼着された状態で、該透光部材の外周縁に沿う切断ガイド７，７が形成される。【選択図】図１
2015094118.tif 000002
【特許請求の範囲】
【請求項１】
芯材の四周に薄板状の表面基材を貼着した構成とされ、かつ表面仕上シートの貼着が可能なように四周表面が易貼着性の下地面とされた素パネルと、該素パネルの厚さ方向両側において露出するように設けられた透光部材と、を備えており、
前記素パネルの厚さ方向両側において露出する前記透光部材の外周縁に沿って前記表面仕上シートの切断が可能なように、前記素パネルの四周表面に前記表面仕上シートが貼着された状態で、該透光部材の外周縁に沿う切断ガイドが形成されることを特徴とする建築用パネル材。
【請求項２】
請求項１において、
前記切断ガイドは、前記素パネルの厚さ方向両側の下地面よりも前記透光部材をパネル厚さ方向両側に突出させて形成された段差によって形成されることを特徴とする建築用パネル材。
【請求項３】
請求項１または２において、
前記透光部材は、前記素パネルの厚さ方向両側においてそれぞれが露出するようにパネル厚さ方向に離間して配される一対の表面側透光部材と、これら一対の表面側透光部材を接続するように設けられ、かつパネル厚さ方向に透光可能な構成とされたスペーサー部材と、を備えていることを特徴とする建築用パネル材。
【発明の詳細な説明】
【技術分野】
【０００１】
本発明は、引戸パネルや開き戸パネルなどの建具パネルや、間仕切パネルなどに用いられる建築用パネル材に関する。
【背景技術】
【０００２】
従来の引戸パネルや開き戸パネルなどの建具パネルや、間仕切パネルなどの建築用パネル材は、芯材の四周表面に、樹脂シート等の化粧シートが貼着された表面材を貼着した構成とされている。このようなものでは、発注後に表面の色柄等を変え難く、また、例えば、内装の仕上げ段階の際や部分リフォームの際等に、他の内装部位との調和性等を見たいような場合にも対応が困難であった。
例えば、下記特許文献１では、紙と耐水性樹脂のフィルムとからなる下地シートを、合板やＭＤＦ等の板の両側の表面に貼り付けた構成とされた下地用板が提案されている。
【先行技術文献】
【特許文献】
【０００３】
【特許文献１】実開平９−３２２号公報
【発明の概要】
【発明が解決しようとする課題】
【０００４】
ところで、建築用パネル材には、採光や透光のために透光部が設けられる場合が多々あり、このような場合には、パネル厚さ方向両側において透光部を露出させる必要がある。上記特許文献１に記載された下地用板では、パネル厚さ方向両面に壁紙や襖紙等を容易に貼ることは可能ではある。しかしながら、上記のような透光部を設けた場合については考慮がなされておらず、更なる改善が望まれる。
【０００５】
本発明は、上記実情に鑑みてなされたものであり、表面意匠の選択自由度を向上させながらも、透光部周囲に見栄え良く表面仕上シートを貼着し得る建築用パネル材を提供することを目的としている。
【課題を解決するための手段】
【０００６】
上記目的を達成するために、本発明に係る建築用パネル材は、芯材の四周に薄板状の表面基材を貼着した構成とされ、かつ表面仕上シートの貼着が可能なように四周表面が易貼着性の下地面とされた素パネルと、該素パネルの厚さ方向両側において露出するように設けられた透光部材と、を備えており、前記素パネルの厚さ方向両側において露出する前記透光部材の外周縁に沿って前記表面仕上シートの切断が可能なように、前記素パネルの四周表面に前記表面仕上シートが貼着された状態で、該透光部材の外周縁に沿う切断ガイドが形成されることを特徴とする。
【０００７】
本発明においては、前記切断ガイドは、前記素パネルの厚さ方向両側の下地面よりも前記透光部材をパネル厚さ方向両側に突出させて形成された段差によって形成される構成とされていてもよい。
また、本発明においては、前記透光部材は、前記素パネルの厚さ方向両側においてそれぞれが露出するようにパネル厚さ方向に離間して配される一対の表面側透光部材と、これら一対の表面側透光部材を接続するように設けられ、かつパネル厚さ方向に透光可能な構成とされたスペーサー部材と、を備えていてもよい。
【発明の効果】
【０００８】
本発明に係る建築用パネル材は、上述のような構成としたことで、表面意匠の選択自由度を向上させながらも、透光部周囲に見栄え良く表面仕上シートを貼着することができる。
【図面の簡単な説明】
【０００９】
【図１】（ａ）〜（ｄ）は、いずれも本発明の一実施形態に係る建築用パネル材の一例を模式的に示し、（ａ）は、図１（ｂ）に対応させた一部を省略した一部破断概略分解拡大横断面図、（ｂ）は、図３（ｂ）におけるＸ１部に対応させた一部破断概略拡大横断面図、（ｃ）は、図３（ｃ）におけるＸ２部に対応させた一部破断概略拡大横断面図、（ｄ）は、図３（ｄ）におけるＸ３部に対応させた一部破断概略拡大横断面図である。
【図２】（ａ）は、図３（ｂ）におけるＸ４部に対応させた一部破断概略拡大横断面図、（ｂ）は、図３（ｃ）におけるＸ５部に対応させた一部破断概略拡大横断面図、（ｃ）は、図３（ｄ）におけるＸ６部に対応させた一部破断概略拡大横断面図である。
【図３】（ａ）は、図４（ａ）におけるＹ１−Ｙ１線矢視に対応させた一部破断概略横断面図、（ｂ）は、図４（ｂ）におけるＹ２−Ｙ２線矢視に対応させた一部破断概略横断面図、（ｃ）、（ｄ）は、表面仕上シートの貼着手順の一例を模式的に示す（ｂ）に対応させた一部破断概略横断面図である。
【図４】（ａ）は、同建築用パネル材が備える芯材の一例を模式的に示す概略正面図、（ｂ）は、同建築用パネル材が備える素パネルの一例を模式的に示す概略正面図、（ｃ）は、同建築用パネル材が備える表面基材の一例を模式的に示す一部破断概略展開平面図である。
【図５】本発明の他の実施形態に係る建築用パネル材の一例を模式的に示し、（ａ）は、図３（ｂ）に対応させた一部破断概略横断面図、（ｂ）は、図３（ｃ）に対応させた一部破断概略横断面図、（ｃ）は、図３（ｄ）に対応させた一部破断概略横断面図である。
【発明を実施するための形態】
【００１０】
以下に本発明の実施の形態について、図面に基づいて説明する。
なお、一部の図では、他図に付している詳細な符号の一部を省略している。
また、図１、図２、図３及び図５の横断面図では、表面基材及び表面仕上シートの切断面の平行斜線（ハッチング）を省略している。
【００１１】
図１〜図４は、第１実施形態に係る建築用パネル材の一例を模式的に示す図である。
本実施形態に係る建築用パネル材１は、図３及び図４に示すように、芯材１０の四周に薄板状の表面基材２０を貼着した構成とされた素パネル２を備えている。この素パネル２は、表面仕上シート４の貼着が可能なように四周表面２１ａ，２１ａ，２２ａ，２４ａが易貼着性の下地面とされている。また、建築用パネル材１（素パネル２）は、素パネル２の厚さ方向両側において露出するように設けられた透光部材４０を備えている。
また、本実施形態では、素パネル２を、少なくとも一方の側端部に該側端部の長手方向に沿って溝部３が形成されるように、芯材１０の四周に薄板状の表面基材２０を貼着した構成としている。また、本実施形態では、建築用パネル材１を、素パネル２の四周表面２１ａ，２１ａ，２２ａ，２４ａに貼着され溝部３に差し入れられた表面仕上シート４の端部５，５を押さえるように溝部３に挿入されるシート押さえ部材３０を備えた構成としている。
【００１２】
また、本実施形態では、素パネル２を、図４（ｂ）に示すように、一方向に長尺な形状としている。また、本実施形態では、素パネル２を、長手方向を上下方向に沿わせて配設される引戸パネルや開き戸パネルなどの建具パネルや、間仕切パネルなどの建具または間仕切を構成するものとしている。
表面仕上シート４は、当該建築用パネル材１が工場出荷後に、例えば、住居等の建物等の施工現場や工務店等の施工現場外の貼着現場において素パネル２の四周表面２１ａ，２１ａ，２２ａ，２４ａに貼着される。この表面仕上シート４としては、薄シート状（フィルム状）とされたもので貼着現場において貼着可能なものであればどのようなものでもよく、例えば、合成樹脂製や突板等の化粧シートや、樹脂クロスや紙クロス、布クロス等の壁紙等としてもよい。また、表面仕上シート４は、素パネル２の四周表面２１ａ，２１ａ，２２ａ，２４ａに接着剤等によって貼着されるものとしてもよく、裏面に粘着材及び剥離紙が設けられたものとしてもよい。
【００１３】
芯材１０は、図４（ａ）に示すように、一方向（上下方向）に長尺な形状とされている。また、本実施形態では、芯材１０を、略角柱形状とされた枠材１３，１５を枠組みした構成としている。図例では、芯材１０は、パネル幅方向に離間した一対の縦枠材１３，１３の上下端部間に上下一対の横枠材１５，１５を架け渡すように設けた構成とされている。また、芯材１０は、長手方向（上下方向）に互いに間隔を空けて複数本の横枠材１５（図例では６本）を一対の縦枠材１３，１３間に架け渡すように設けた構成とされている。
これら一対の縦枠材１３，１３のパネル幅方向外方側側面が芯材１０のパネル幅方向の両側側端面１２，１２をそれぞれに構成する。また、各枠材１３，１５のパネル厚さ方向両面が芯材１０のパネル厚さ方向の両面１１，１１をそれぞれに構成する。
【００１４】
また、本実施形態では、図３（ａ）及び図４（ａ）に示すように、芯材１０の少なくとも一方の側端部に、その側端部の長手方向に沿って凹溝１４を設けた構成としている。本実施形態では、芯材１０の一方の側端部のみに凹溝１４を設けた構成としている。この凹溝１４は、芯材１０の一方の側端部の長手方向に沿って延びるように全長に亘って設けられている。また、この凹溝１４は、パネル幅方向外方側に向けて開口している。また、この凹溝１４は、パネル幅方向外方側に向く溝底面と、パネル厚さ方向に沿う方向に向く両溝内側面と、によって区画されている。つまり、凹溝１４は、略矩形溝形状とされている。また、本実施形態では、芯材１０の一方の側端部を構成する一方の縦枠材１３の外側端部のパネル厚さ方向略中央部に凹溝１４を設けた例を示している。
【００１５】
なお、この芯材１０を構成する各枠材１３，１５は、合板やＬＶＬ（単板積層材）等の木質積層板、パーティクルボード等の木質ボード、インシュレーションボードやＭＤＦ（中密度繊維板）等の木質繊維板などの木質系材料から形成されたものとしてもよい。または、各枠材１３，１５は、合成樹脂系材料に、木粉や無機フィラー、相溶化剤、着色剤などを所定の含有割合で含有させた木粉・プラスチック複合材（ＷＰＣ）から形成されたものとしてもよい。
また、上下に隣接する横枠材１５，１５間に、パネル厚さ方向に開口する多数の中空筒状のセルの集合体からなるコア材等を収容するように設けた構成としてもよい。この場合は、後記する透光部材４０を囲むようにコア材等を設けるようにしてもよい。
【００１６】
表面基材２０は、図３（ａ）、（ｂ）及び図４（ｂ）に示すように、芯材１０の四周としてのパネル厚さ方向の両面１１，１１及びパネル幅方向の両側側端面１２，１２に貼着されている。
本実施形態では、表面基材２０は、薄板状の木質系基材２８の表面に下地面２１ａ，２１ａ，２２ａ，２４ａを構成する下地シート２９を貼着した構成とされ、かつ裏面側に芯材１０の角部に応じた折曲溝２５を設けた構成とされている。これら木質系基材２８及び下地シート２９は、表面基材２０の全体に亘って積層状に設けられている。
また、本実施形態では、素パネル２の少なくとも一方の側端部において対向される表面基材２０の各端部の裏面側に端部折曲溝２６，２６を設けた構成としている。また、これら端部折曲溝２６，２６において折り曲げられた表面基材２０の各端部２３，２３が溝部３におけるパネル厚さ方向に沿う方向に向く両溝内側面２３ａ，２３ａを構成するものとしている。つまり、これら両溝内側面２３ａ，２３ａも下地面を構成することとなる。
【００１７】
また、本実施形態では、図３（ｂ）及び図４（ｃ）に示すように、芯材１０の四周を、１枚の表面基材２０によって略覆うようにした構成としている。つまり、この表面基材２０は、芯材１０のパネル厚さ方向の両面１１，１１に沿わせられる表面側片部２１，２１と、芯材１０のパネル幅方向の両側側端面１２，１２に沿わせられる側端面片部２２，２２，２４と、を備えている。この表面基材２０の表面側片部２１，２１の表面２１ａ，２１ａが、素パネル２のパネル厚さ方向両面の表面２１ａ，２１ａを構成する。また、表面基材２０の側端面片部２２，２２，２４の表面２２ａ，２２ａ，２４ａが、素パネル２のパネル幅方向両側の側端面２２ａ，２２ａ，２４ａを構成する。
【００１８】
また、表面基材２０は、端部折曲溝２６，２６において折り曲げられて溝部３を構成する溝構成片部２３，２３を備えている。つまりは、この表面基材２０は、図４（ｃ）に示すように、展開した状態におけるパネル幅方向に沿う方向の中央部に、芯材１０の他方の側端部（反溝側の側端部）の側端面１２に沿わせられる反溝側側端面片部２４を設けた構成とされている。また、表面基材２０は、この反溝側側端面片部２４の両側のそれぞれに、表面側片部２１，２１、溝側側端面片部２２，２２及び溝構成片部２３，２３をパネル幅方向に沿う方向の外方側に向けてこの順に設けた構成とされている。
【００１９】
また、本実施形態では、上記のように芯材１０の一方の側端部のみに凹溝１４を設けた構成としており、この凹溝１４に、溝部３を形成するように、表面基材２０の溝構成片部２３，２３を差し込んだ構成としている。つまり、本実施形態では、素パネル２の一方の側端部のみに溝部３を設けた構成としている。これら芯材１０の一方の側端部において対向される溝構成片部２３，２３は、凹溝１４の溝底面に対向する端面が溝底面に当接する構成とされたものとしてもよく、または、各端面が溝底面との間に僅かな隙間を隔てて配される構成とされたものとしてもよい。上記した芯材１０の凹溝１４は、これら溝構成片部２３，２３の差し込みが可能で、かつこれらが差し込まれた状態で所定の溝部３が形成されるように、適宜のパネル幅方向に沿う寸法（溝深さ寸法）及びパネル厚さ方向に沿う寸法（溝幅寸法）とされている。
【００２０】
溝部３は、凹溝１４と概ね同様、素パネル２の一方の側端部の長手方向に沿って延びるように全長に亘って設けられている。また、溝部３は、パネル幅方向外方側に向けて開口し、パネル幅方向外方側に向く凹溝１４と共通の溝底面と、パネル厚さ方向に沿う方向に向く両溝内側面２３ａ，２３ａと、によって区画されている。つまり、溝部３は、凹溝１４と概ね同様、略矩形溝形状とされている。
この溝部３は、当該溝部３に表面仕上シート４の端部５，５が差し入れられた状態で、これら端部５，５を押さえるように挿入されるシート押さえ部材３０の挿入が可能なように、適宜のパネル幅方向に沿う寸法（溝深さ寸法）及びパネル厚さ方向に沿う寸法（溝幅寸法）とされている。
なお、この溝部３の両溝内側面２３ａ，２３ａは、全体が下地面とされたものに限られず、例えば、少なくともパネル幅方向外方側略半部が下地面とされたものとしてもよい。
【００２１】
また、本実施形態では、上記のように、１枚の表面基材２０を芯材１０の四周に貼着した構成としており、この表面基材２０の裏面側（芯材１０に向く側）に、芯材１０の四角部のそれぞれに応じた折曲溝２５，２５，２５，２５を設けた構成としている。つまり、反溝側側端面片部２４とこれの両側の表面側片部２１，２１との境界部に折曲溝２５，２５を設け、両側の表面側片部２１，２１とこれらにそれぞれに隣接する溝側側端面片部２２，２２との境界部に折曲溝２５，２５を設けた構成としている。
また、溝側側端面片部２２，２２とこれらにそれぞれに隣接する溝構成片部２３，２３との境界部に端部折曲溝２６，２６を設けた構成としている。
これら折曲溝２５及び端部折曲溝２６は、少なくとも下地シート２９を残すように表面基材２０の裏面側に設けられている。
表面基材２０は、これら折曲溝２５及び端部折曲溝２６の部位において残存する少なくとも下地シート２９の部位がヒンジ部（折曲部）のように機能し、これらの部位において折り曲げ可能とされている。
【００２２】
また、本実施形態では、これら折曲溝２５及び端部折曲溝２６を、これら折曲溝２５及び端部折曲溝２６において折り曲げられて形成された素パネル２の角部が略直角状となるように表面基材２０の裏面側に設けた構成としている。図例では、これら折曲溝２５及び端部折曲溝２６を、断面略Ｖ字形状とされた単一の溝からなるものとした例を示している。なお、このような態様に代えて、これら折曲溝２５及び端部折曲溝２６において折り曲げられて形成された素パネル２の角部がＲ面取り形状やＣ面取り形状となるように、これら折曲溝２５及び端部折曲溝２６のそれぞれを、複数条の溝からなるものとしてもよい。
このような折曲溝２５及び端部折曲溝２６が裏面側に設けられた表面基材２０は、折曲溝２５及び端部折曲溝２６において折り曲げられて芯材１０の四周を略覆うように貼着される。また、表面基材２０が貼着された状態では、素パネル２の四周表面としてのパネル厚さ方向両面２１ａ，２１ａ及びパネル幅方向両側側端面２２ａ，２２ａ，２４ａは、溝部３の部位を除いて、全面に亘って一連状に設けられた下地シート２９の表面によって構成される。また、本実施形態では、溝部３の少なくともパネル幅方向外方側略半部の両溝内側面２３ａ，２３ａも一連状に設けられた下地シート２９の表面によって構成される。
【００２３】
なお、表面基材２０の裏面側層を構成する木質系基材２８としては、上記同様の木質系材料から形成されたものとしてもよい。この木質系基材２８は、例えば、１．０ｍｍ〜５．０ｍｍ程度の厚さ寸法とされたものとしてもよい。
また、表面基材２０の表面側層を構成する下地シート２９としては、その表面が、表面仕上シート４の貼着が可能で剥離し難いような易貼着性の表面物性（貼着手段による十分な貼着強度が得られる物性）を有したものとしてもよい。このような下地シート２９としては、紙材や、紙材に貼着手段としての接着剤との親和性のある樹脂を含浸させたシート、貼着手段としての接着剤との親和性のある樹脂シート等としてもよい。また、下地シート２９の表面（素パネル２の四周表面（これに加えて溝部３の少なくともパネル幅方向外方側略半部の両溝内側面））が易貼着性の下地面となるように適宜の表面処理（表面研磨や、プライマー塗布、各種放電処理、光オゾン処理等）が施されたものとしてもよい。また、下地シート２９は、例えば、５０μｍ〜１．０ｍｍ程度の厚さ寸法とされたものとしてもよい。
【００２４】
また、表面基材２０としては、木質系基材２８と下地面を構成する下地シート２９とからなる二層構造とされたものに限られず、木質系基材２８の裏面側や木質系基材２８と下地シート２９との間に他のシート材等を更に積層した構造とされたものとしてもよい。
また、当該建築用パネル材１が、建具や可動間仕切を構成する場合には、素パネル２に、ランナーや戸車等の走行案内部材や、蝶番等の回動連結部材、ハンドルや引手等の手掛部材、錠装置等を取り付けるための収納凹所や加工孔等を適宜、設けておくようにしてもよい。
【００２５】
シート押さえ部材３０は、素パネル２の溝部３の長手方向に沿って長尺な棒状とされている。また、本実施形態では、このシート押さえ部材３０を、溝部３内に全体が収容される形状としている。このシート押さえ部材３０のパネル幅方向に沿う寸法は、溝部３の溝深さ寸法に応じた寸法としてもよく、溝部３の溝深さ寸法よりも小さい寸法としてもよい。また、このシート押さえ部材３０のパネル厚さ方向に沿う寸法は、表面仕上シート４の端部５，５が差し入れられた状態における溝部３に挿入可能で、かつこれら端部５，５を溝部３の両溝内側面２３ａ，２３ａに押圧可能なように適宜の寸法としてもよい。
また、このシート押さえ部材３０は、素パネル２の溝部３の全長に亘って設けられるものとしてもよく、溝部３の長手方向に沿って間隔を空けて複数箇所に設けられるものとしてもよい。例えば、上記のように当該建築用パネル材１が、建具や可動間仕切を構成し、一方の側端面において開口するように素パネル２に収納凹所や加工孔等が設けられている場合には、当該部位にはシート押さえ部材３０を設けないようにしてもよい。
【００２６】
また、本実施形態では、シート押さえ部材３０を、素パネル２の溝部３の溝底側に向くように開口した略Ｕ字溝形状（略Ｃ字溝形状、略コ字溝形状）としている。
このシート押さえ部材３０は、図２（ｃ）に示すように、厚さ方向をパネル幅方向に沿わせて配設される薄板状の基部３１のパネル厚さ方向に沿う方向の両端部に、パネル幅方向に沿うように突出し、互いに平行状とされた薄板状の側片部３２，３２を設けた構成とされている。つまり、本実施形態では、シート押さえ部材３０を、横断面略コ字溝形状としている。
このような構成により、シート押さえ部材３０は、少なくとも溝部３への挿入方向先端側がパネル厚さ方向に弾性変形可能とされている。
このシート押さえ部材３０は、表面仕上シート４の端部５，５が差し入れられた状態における溝部３に挿入され、これら端部５，５を溝部３の両溝内側面２３ａ，２３ａに押圧する構成とされている。
【００２７】
なお、このシート押さえ部材３０は、表面仕上シート４の端部５，５が差し入れられた状態における溝部３に挿入するのみでその弾性復元力や摩擦力等によって溝部３内に保持されるものとしてもよい。または、シート押さえ部材３０を、接着剤等によって溝部３内に固定するようにしてよい。
また、シート押さえ部材３０は、上記したＷＰＣや、硬質の合成樹脂系材料、金属系材料等から形成されたものとしてもよい。
【００２８】
また、建築用パネル材１は、図１（ｃ）及び図３（ｃ）に示すように、素パネル２の厚さ方向両側において露出する透光部材４０の外周縁４３，４３に沿って表面仕上シート４の切断が可能なように、切断ガイド７，７が形成される構成とされている。この切断ガイド７，７は、素パネル２の四周表面２１ａ，２１ａ，２２ａ，２４ａに表面仕上シート４が貼着された状態で、透光部材４０の外周縁４３，４３に沿うように形成される構成とされている。これらパネル厚さ方向両側の切断ガイド７，７は、素パネル２の厚さ方向両側において露出する透光部材４０の外周縁４３，４３の全周に沿うように形成される。
また、本実施形態では、切断ガイド７，７を、素パネル２の厚さ方向両側の下地面とされた表面２１ａ，２１ａよりも透光部材４０をパネル厚さ方向両側に突出させて形成された段差によって形成される構成としている。
【００２９】
透光部材４０は、素パネル２の厚さ方向に光を透過させる構成とされ、素パネル２の厚さ方向両側において露出する部位が当該素パネル２（建築用パネル材１）の透光部となる。
素パネル２には、厚さ方向両側において露出させるように透光部材４０を配置するための開口部が厚さ方向に貫通するように設けられている。本実施形態では、上述のように芯材１０を枠組みされたものとし、この芯材１０の枠内空間を上記開口部の一部とし、該枠内に透光部材４０を配置している（図４（ａ）参照）。また、図１に示すように、芯材１０の厚さ方向両側に貼着された表面基材２０の表面側片部２１，２１のそれぞれに、透光部材４０のパネル厚さ方向両側部位が嵌め込まれ、上記開口部の一部となる開口部２７，２７をパネル厚さ方向に貫通させて設けた構成としている。これら厚さ方向両側の開口部２７，２７によって透光部が区画される。
【００３０】
この透光部材４０によって形成される透光部のパネル厚さ方向に見た形状や大きさ、設ける箇所、個数等は、当該素パネル２（建築用パネル材１）の施工箇所や用途、デザイン性、所望する採光度合等の観点から適宜、設定するようにしてもよい。本実施形態では、図４（ｂ）に示すように、透光部を、パネル厚さ方向に見て略方形状（略正方形状）で外周寸法がパネル幅寸法及び長さ寸法に比して小さい寸法とされたものとした例を示している。なお、このような態様に代えて、透光部を、パネル厚さ方向に見て、パネル長手方向（またはパネル幅方向）に長尺な形状としたり、円形状や楕円形状、多角形状等としたりしてもよい。
また、本実施形態では、透光部を、素パネル２の上側半部におけるパネル幅方向の略中央に、パネル長手方向に等間隔を空けて複数箇所（図例では、３箇所）に設けた例を示している。なお、このような態様に代えて、単一の透光部を設けた態様等としてもよい。
【００３１】
また、本実施形態では、図１に示すように、透光部材４０を、素パネル２の厚さ方向両側においてそれぞれが露出するように、パネル厚さ方向に離間して配される一対の表面側透光部材４１，４１を備えた構成としている。また、透光部材４０を、これら一対の表面側透光部材４１，４１を接続するように設けられ、かつパネル厚さ方向に透光可能な構成とされたスペーサー部材４５を備えた構成としている。
一対の表面側透光部材４１，４１は、透光性を有した材料から形成されている。これら一対の表面側透光部材４１，４１は、パネル厚さ方向に厚さ方向を沿わせた薄板状とされている。また、これら一対の表面側透光部材４１，４１は、互いに略同寸同形状、つまりは、同一部材とされている。
また、本実施形態では、これら一対の表面側透光部材４１，４１を、表面基材２０の表面側片部２１，２１に設けられた開口部２７，２７に嵌め込まれるパネル厚さ方向外方側部位のパネル厚さ方向内方側部位に鍔部４４，４４を一体的に設けた構成としている。
【００３２】
これら一対の表面側透光部材４１，４１のパネル厚さ方向外方側部位は、素パネル２の厚さ方向両側において露出する透光部を構成し、パネル厚さ方向に見て略方形状とされている。上記した表面基材２０の表面側片部２１，２１の開口部２７，２７は、図１及び図４（ｂ）に示すように、それぞれの内周面に、これら一対の表面側透光部材４１，４１のパネル厚さ方向外方側部位の外周面が略密着するように形成されている。
また、これら一対の表面側透光部材４１，４１のパネル厚さ方向外方側部位は、表面基材２０の厚さ寸法よりも大きい厚さ寸法とされており、素パネル２の厚さ方向両側の表面２１ａ，２１ａよりもパネル厚さ方向外方側に突出する突出部４２，４２を有している。これら突出部４２，４２と素パネル２の厚さ方向両側の表面２１ａ，２１ａとの段差は、透光部材４０のパネル厚さ方向両側の外周縁４３，４３に沿って全周に亘って形成されている。
【００３３】
このような構成により、透光部材４０のパネル厚さ方向両面を含む素パネル２の厚さ方向両側の表面２１ａ，２１ａに表面仕上シート４が貼着された状態では、上記段差つまり透光部材４０のパネル厚さ方向両側の外周縁４３，４３に沿って切断ガイド７，７が形成される。つまり、本実施形態では、このように素パネル２に表面仕上シート４を貼着した状態では、パネル厚さ方向両側に、透光部材４０のパネル厚さ方向両側の外周縁４３，４３に沿って切断ガイド７，７となる段差が形成される。これら厚さ方向両側の切断ガイド７，７は、パネル厚さ方向に見て、透光部を構成する表面側透光部材４１，４１のパネル厚さ方向外方側部位の形状に応じた形状となる。
【００３４】
上記した突出部４２，４２によって形成される段差は、このような切断ガイド７，７が形成されるように、適宜の段差寸法（突出部４２，４２のパネル厚さ方向に沿う突出寸法）とすればよい。この段差寸法が余りにも小さ過ぎれば、カッター等の切断具８（図１（ｃ）参照）の刃先が掛かり難くなり、表面仕上シート４を切断し難くなる傾向がある。一方、この段差寸法が余りにも大き過ぎれば、透光部材４０の突出部４２，４２の周囲の素パネル２の厚さ方向両側の表面２１ａ，２１ａに、表面仕上シート４を密着させて貼着し難くなる傾向がある。このような観点等から、突出部４２，４２によって形成される段差寸法を、例えば、数ｍｍ程度としてもよい。
なお、図例では、これら突出部４２，４２の表面を、素パネル２の厚さ方向両面の表面２１ａ，２１ａに平行な略平坦面としているが、切断ガイド７，７の形成が可能であれば、このような態様に限られない。例えば、突出部４２，４２の表面を、湾曲面としたり、凹凸面等としたりしてもよい。
【００３５】
一対の表面側透光部材４１，４１のパネル厚さ方向内方側部位に設けられた鍔部４４，４４は、図１（ｂ）に示すように、表面基材２０の表面側片部２１，２１の裏面に当接される構成とされている。このような鍔部４４，４４を設けた構成とすれば、一対の表面側透光部材４１，４１の開口部２７，２７からのパネル厚さ方向外方側への抜けを防止することができる。
これら鍔部４４，４４は、パネル面域方向に突出するように設けられており、パネル厚さ方向に厚さ方向を沿わせた薄板状とされている。図例では、これら鍔部４４，４４の厚さ寸法を、表面側透光部材４１，４１のパネル厚さ方向外方側部位の厚さ寸法よりも小さい寸法とした例を示しているが、パネル厚さ方向外方側部位の厚さ寸法と略同寸法等としてもよい。
【００３６】
また、これら鍔部４４，４４は、図４（ａ）に示すように、パネル厚さ方向に見た外周寸法が、表面側透光部材４１，４１のパネル厚さ方向外方側部位の外周寸法よりも大きくなるように、各表面側透光部材４１，４１の全周に亘って設けられている。図例では、鍔部４４，４４が設けられたパネル厚さ方向内方側部位の厚さ方向に見た形状を、表面側透光部材４１，４１のパネル厚さ方向外方側部位の厚さ方向に見た形状と略同形状とした例を示している。なお、表面側透光部材４１，４１のパネル厚さ方向内方側部位の全周に亘って鍔部４４，４４を設けた態様に代えて、周方向に沿って間隔を空けて複数箇所に突起状に設けたような態様等としてもよい。
なお、一対の表面側透光部材４１，４１としては、アクリル樹脂やポリカーボネート樹脂等の透明または半透明の合成樹脂系材料や、透明または半透明のガラス材料等から形成されたものとしてもよい。
【００３７】
スペーサー部材４５は、図１及び図４（ａ）に示すように、パネル厚さ方向に見た外周寸法が、一対の表面側透光部材４１，４１の外周寸法よりも大きい寸法とされている。また、スペーサー部材４５は、パネル厚さ方向両面が表面基材２０の表面側片部２１，２１の裏面に当接される構成とされている。つまり、スペーサー部材４５のパネル厚さ方向に沿う寸法を、芯材１０の厚さ寸法と略同寸法としている。
また、本実施形態では、このスペーサー部材４５を、不透光な材料から形成されたものとし、パネル厚さ方向に透光可能なようにパネル厚さ方向に貫通する中空部４６を設けた筒状とした構成としている。この中空部４６は、パネル厚さ方向に透光可能なように、パネル厚さ方向に見て、表面側透光部材４１，４１の透光部を構成するパネル厚さ方向外方側部位の形状に応じた形状としてもよい。図例では、中空部４６を、パネル厚さ方向に見て、略方形状とされた表面側透光部材４１，４１のパネル厚さ方向外方側部位と略同寸同形状とした例を示している。なお、このような態様に代えて、中空部４６のパネル厚さ方向に見た形状を、表面側透光部材４１，４１のパネル厚さ方向外方側部位よりも大きい形状としてもよい。さらには、スペーサー部材４５を、透光性を有する材料から形成されたものとした場合には、中空部４６のパネル厚さ方向に見た形状を、表面側透光部材４１，４１のパネル厚さ方向外方側部位よりも小さい形状としてもよい。
【００３８】
また、本実施形態では、スペーサー部材４５のパネル厚さ方向両側に、一対の表面側透光部材４１，４１のパネル厚さ方向内方側部位としての鍔部４４，４４をそれぞれに受け入れる凹部４７，４７を設けた構成としている。このような構成とすれば、スペーサー部材４５に対する一対の表面側透光部材４１，４１のパネル面域方向への位置決めを容易に行うことができる。
本実施形態では、上記のように中空筒状とされたスペーサー部材４５の中空部４６のパネル厚さ方向両側の開口周縁に沿うように全周に亘って段状に凹部４７，４７を設けた構成としている。これら凹部４７，４７は、凹部４７，４７の内周面に、表面側透光部材４１，４１のパネル厚さ方向内方側部位（鍔部４４，４４）の外周面が略密着するように形成されている。図例では、これら凹部４７，４７を、パネル厚さ方向に見て略方形状とされた表面側透光部材４１，４１のパネル厚さ方向内方側部位と略同寸同形状とした例を示している。また、これら凹部４７，４７のパネル厚さ方向に沿う寸法（深さ寸法）は、各表面側透光部材４１，４１のパネル厚さ方向内方側部位（鍔部４４，４４）の厚さ寸法と略寸法とされている。
【００３９】
なお、このスペーサー部材４５と一対の表面側透光部材４１，４１とは、接着剤等によって固定するようにしてもよい。また、一対の表面側透光部材４１，４１及びスペーサー部材４５の両方または一方を、接着剤等によって表面基材２０に固定するようにしてもよい。
また、スペーサー部材４５のパネル面域方向への移動を抑制するように、芯材１０のスペーサー部材４５の周囲に枠部材等を設けるようにしてもよい。
また、スペーサー部材４５としては、軽量化を図る観点等から発泡ポリスチレンや発泡ウレタン等の発泡系の合成樹脂系材料から形成されたものとしてもよく、または、非発泡系の合成樹脂系材料や、木質系材料、金属系材料等から形成されたものとしてもよい。
【００４０】
上記構成とされた素パネル２に表面仕上シート４を貼着し、建築用パネル材１を表面仕上済パネル９とする際には、例えば、以下のようにしてもよい。
まず、図２（ｂ）、（ｃ）及び図３（ｃ）、（ｄ）に示すように、素パネル２の四周表面２１ａ，２１ａ，２２ａ，２２ａ，２４ａに、表面仕上シート４を貼着する。
本実施形態では、上記のように素パネル２の一方の側端部のみに溝部３を設けた構成としており、図例では、１枚の表面仕上シート４を、素パネル２の四周表面２１ａ，２１ａ，２２ａ，２２ａ，２４ａに沿わせて貼着した例を示している。
この表面仕上シート４は、予め素パネル２の四周表面２１ａ，２１ａ，２２ａ，２２ａ，２４ａの寸法に応じた寸法に調整されたものとしてもよく、または、貼着現場において適宜の寸法に切断等によって調整されたものとしてもよい。また、図２（ｃ）及び図３（ｄ）に示すように、この表面仕上シート４は、素パネル２の一方の側端部において対向される表面仕上シート４の端部５，５（図例では、１枚からなる表面仕上シート４の両側端部５，５）を溝部３に差し込み可能な寸法としてもよい。
【００４１】
また、この表面仕上シート４は、適宜の接着剤によって素パネル２の四周表面２１ａ，２１ａ，２２ａ，２２ａ，２４ａ（及び溝部３の両溝内側面２３ａ，２３ａ）に貼着するようにしてもよい。または、表面仕上シート４の裏面に剥離紙や粘着材が設けられている場合には、剥離紙を剥がして貼着するようにしてもよい。
このように素パネル２の厚さ方向両側の表面２１ａ，２１ａに表面仕上シート４を貼着すれば、透光部材４０のパネル厚さ方向両面が表面仕上シート４に覆われた状態となる。また、表面仕上シート４上には、上記のように切断ガイド７，７が形成される。これら切断ガイド７，７に沿わせるようにして、図１（ｃ）及び図３（ｃ）に示すように、カッター等の切断具８によって表面仕上シート４を切断し、表面仕上シート４の透光部覆い部６，６を除去して、パネル厚さ方向両面において透光部材４０を露出させてもよい。
【００４２】
また、図２（ｃ）及び図３（ｄ）に示すように、表面仕上シート４の端部５，５が差し入れられた状態における溝部３に、シート押さえ部材３０を挿入し、建築用パネル材１を表面仕上済パネル９とするようにしてもよい。このシート押さえ部材３０は、その基部３１の外側面が、表面仕上シート４が貼着された建築用パネル材１の一方の側端面と略同一平面状となるように溝部３に挿入するようにしてもよい。
なお、切断ガイド７，７に沿って表面仕上シート４を切断する工程は、少なくとも素パネル２の厚さ方向両側の表面２１ａ，２１ａに表面仕上シート４を貼着した状態で行えばよく、例えば、シート押さえ部材３０を挿入した後等に行うようにしてもよい。
また、このような表面仕上工程は、住居等の建物等の施工現場において行うようにしてもよく、工務店等の施工現場外において行うようにしてもよい。
また、表面仕上済パネル９が建具や可動間仕切を構成し、素パネル２に上記のような収納凹所や加工孔等が設けられている場合には、表面仕上シート４を貼着した後に、当該部位に貼着された表面仕上シート４を切除等するようにしてもよい。
【００４３】
本実施形態に係る建築用パネル材１は、上述のような構成としたことで、表面意匠の選択自由度を向上させながらも、透光部（表面側透光部材４１，４１のパネル厚さ方向外方側部位）の周囲に見栄え良く表面仕上シート４を貼着することができる。
つまり、建築用パネル材１は、芯材１０の四周に薄板状の表面基材２０を貼着した構成とされ、かつ表面仕上シート４の貼着が可能なように四周表面２１ａ，２１ａ，２２ａ，２２ａ，２４ａが易貼着性の下地面とされた素パネル２を備えている。従って、内装の仕上げ段階の際や部分リフォームの際等に、他の内装部位との調和性を見るなどして、表面仕上シート４を選択し、その表面仕上シート４を素パネル２の四周表面２１ａ，２１ａ，２２ａ，２２ａ，２４ａに容易に貼着することができ、表面意匠の選択自由度を向上させることができる。
【００４４】
また、素パネル２の厚さ方向両側において露出する透光部材４０の外周縁４３，４３に沿って表面仕上シート４の切断が可能なように、上記のように切断ガイド７，７が形成される構成とされている。従って、上記のように表面仕上シート４を貼着した後に切断ガイド７，７に沿って表面仕上シート４を切断し、透光部覆い部６，６を除去することで、厚さ方向両側において透光部材４０を露出させることができる。これにより、例えば、表面仕上シート４に透光部材４０に応じた開口を予め設けて貼着したり、透光部材４０の周囲に複数に分割した表面仕上シート４を貼着したりするようなものと比べて、透光部を構成する透光部材４０の周囲に見栄え良くかつ容易に表面仕上シート４を貼着することができる。
【００４５】
また、本実施形態では、切断ガイド７，７を、素パネル２の厚さ方向両側の下地面とされた表面２１ａ，２１ａよりも透光部材４０をパネル厚さ方向両側に突出させて形成された段差によって形成される構成としている。つまり、パネル厚さ方向両側に突出した透光部材４０のパネル厚さ方向両面及び素パネル２の厚さ方向両側の表面２１ａ，２１ａに表面仕上シート４を貼着した状態では、上記段差に沿って切断ガイド７となる段差が形成される。従って、例えば、素パネル２の厚さ方向両側の表面２１ａ，２１ａよりも透光部材４０を凹ませて形成された段差によって切断ガイド７，７が形成される構成と比べて、透光部材４０が浮き上がるようになるため、透光部材４０の外周縁４３，４３を明確に示すことができる。また、表面仕上シート４の切断端面や表面基材２０の開口部２７，２７の内周縁が露出し難く、見栄えをより向上させることができる。
【００４６】
また、本実施形態では、透光部材４０を、一対の表面側透光部材４１，４１と、これらを接続するように設けられ、かつパネル厚さ方向に透光可能な構成とされたスペーサー部材４５と、を備えた構成としている。従って、厚さの異なる種々の建築用パネル材１に適用したいような場合にも、例えば、一対の表面側透光部材４１，４１を共通の部品とし、スペーサー部材４５の厚さを変更することで対応することができ、汎用性を向上させることができる。
【００４７】
また、本実施形態では、素パネル２を、少なくとも一方の側端部に側端部の長手方向に沿って溝部３が形成されるように、芯材１０の四周に薄板状の表面基材２０を貼着した構成としている。従って、この溝部３に表面に貼着した表面仕上シート４の端部５，５を差し入れることができ、表面仕上シート４の端部５，５同士が重なり合わせられて端面が見えたりするようなことがなく、表面仕上シート４の端部５，５同士を見栄え良く納めることができる。また、素パネル２のパネル幅方向の少なくとも一方の側端面２２ａ，２２ａに、パネル厚さ方向両面２１ａ，２１ａから連続的に表面仕上シート４を貼着することができる。これにより、例えば、側端面専用の表面仕上シート（エッジシート）を貼着する必要があるようなものと比べて、表面仕上済パネル９の少なくとも一方の側端部における厚さ方向両縁部の見栄えを向上させることができる。
【００４８】
また、本実施形態では、建築用パネル材１を、素パネル２の四周表面２１ａ，２１ａ，２２ａ，２２ａ，２４ａに貼着され溝部３に差し入れられた表面仕上シート４の端部５，５を押さえるように溝部３に挿入されるシート押さえ部材３０を備えた構成としている。従って、表面仕上シート４の端部５，５に加工誤差等があるような場合にもシート押さえ部材３０によって覆い隠すことができ、見栄えを向上させることができる。換言すれば、表面仕上シート４の端部５，５を精度良く加工する必要性を低減させることができ、表面仕上シート４の加工作業性を向上させることができる。また、このシート押さえ部材３０によって表面仕上シート４の端部５，５が復元力等によって溝部３から出てしまうようなことを防止することができる。また、このようなシート押さえ部材３０が表面仕上済パネル９のパネル幅方向の側端面に位置することとなるため、例えば、パネルの表裏側に設けた場合と比べて目立ち難くすることができる。
【００４９】
また、本実施形態では、素パネル２の一方の側端部のみに溝部３を設けた構成としている。従って、上述のように、素パネル２の他方の側端面２４ａに、パネル厚さ方向両面２１ａ，２１ａから連続的に単一の表面仕上シート４を貼着することができ、表面仕上済パネル９の他方の側端面及び厚さ方向両縁部の見栄えを向上させることができる。
また、本実施形態では、芯材１０を枠組みされたものとし、その四周に薄板状の表面基材２０を貼着した構成、つまりは、フラッシュパネル状としているので、軽量化を図ることができ、表面仕上シート４の貼着作業性をより向上させることができる。
【００５０】
また、本実施形態では、表面基材２０を、薄板状の木質系基材２８の表面に、下地面を構成する下地シート２９を貼着した構成とし、かつ裏面側に芯材１０の角部に応じた折曲溝２５，２５，２５，２５を設けた構成としている。従って、下地面となる四周表面２１ａ，２１ａ，２２ａ，２２ａ，２４ａを構成する下地シート２９が素パネル２の角部において連なるように設けられることとなる。これにより、例えば、素パネル２の厚さ方向両面及び幅方向両側側端面のそれぞれを個別に構成する下地シートを貼着したようなものと比べて、角部において段差や隙間等が形成され難くなり、角部における表面仕上シート４の見栄えを向上させることができる。
【００５１】
また、本実施形態では、端部折曲溝２６において折り曲げられ、素パネル２の少なくとも一方の側端部において対向される表面基材２０の各端部としての溝構成片部２３，２３を、溝部３の両溝内側面２３ａ，２３ａを構成するものとしている。つまり、溝部３の両溝内側面２３ａ，２３ａも下地面となる構成としている。従って、例えば、両溝内側面が表面基材２０の切断端面等によって構成されたようなものと比べて、表面仕上シート４が貼着された際における溝部３の開口側両縁部の見栄えを向上させることができる。また、溝部３の両溝内側面２３ａ，２３ａへの表面仕上シート４の貼着性を向上させることができる。
【００５２】
また、本実施形態では、芯材１０の一方の側端部に凹溝１４を設け、この凹溝１４に、溝部３を形成するように、表面基材２０の溝構成片部２３，２３を差し込んだ構成としている。従って、例えば、芯材１０の一方の側端部に凹溝１４を設けない構成とした場合と比べて、表面基材２０の薄型化を図りながらも溝部３の溝深さ寸法を深くすることができ、また、溝構成片部２３，２３を凹溝１４の両溝内側面に安定的に貼着することができる。
また、本実施形態では、シート押さえ部材３０を、素パネル２の溝部３の溝底側に向くように開口した略Ｕ字溝形状としている。従って、略Ｕ字溝形状を構成するパネル厚さ方向に沿う方向の両側片部３２，３２を、互いに近接する側へ変形させながら溝部３に挿入することができ、挿入性を向上させることができる。
【００５３】
次に、本発明に係る他の実施形態について、図面を参照しながら説明する。
図５は、第２実施形態に係る建築用パネル材の一例を模式的に示す図である。
なお、上記第１実施形態との相違点について主に説明し、同様の構成については、同一の符号を付し、その説明を省略または簡略に説明する。
【００５４】
本実施形態に係る建築用パネル材１Ａの素パネル２Ａは、図５（ａ）に示すように、パネル幅方向両方の側端部に、各側端部の長手方向に沿って溝部３，３が形成されるように、芯材１０Ａの四周に薄板状の表面基材２０Ａ，２０Ａを貼着した構成とされている。
本実施形態では、芯材１０Ａの四周を、パネル厚さ方向の両面１１，１１のそれぞれに沿わせられる２枚の表面基材２０Ａ，２０Ａによって略覆うようにした構成としている。
また、本実施形態では、芯材１０Ａの両側の側端部に、各側端部の長手方向に沿って上記同様の凹溝１４，１４を設け、これら凹溝１４，１４に、溝部３，３を形成するように、表面基材２０Ａ，２０Ａの溝構成片部２３，２３，２３，２３を差し込んだ構成としている。
これら表面基材２０Ａ，２０Ａは、互いに同様の構成とされている。これら表面基材２０Ａ，２０Ａは、上記同様、木質系基材２８，２８の表面に、下地面となる四周表面２１ａ，２１ａ，２２ａ，２２ａ及び溝部３，３の両溝内側面２３ａ，２３ａ，２３ａ，２３ａを構成する下地シート２９，２９を貼着した構成とされている。
【００５５】
また、各表面基材２０Ａ，２０Ａは、芯材１０Ａのパネル厚さ方向の両面１１，１１に沿わせられる表面側片部２１，２１と、芯材１０Ａのパネル幅方向の両側側端面１２，１２に沿わせられる側端面片部（溝側側端面片部）２２，２２，２２，２２と、を備えている。また、各表面基材２０Ａ，２０Ａは、芯材１０Ａの凹溝１４，１４に差し込まれる溝構成片部２３，２３，２３，２３を備えている。
また、各表面基材２０Ａ，２０Ａの裏面側には、上記第１実施形態と概ね同様、芯材１０Ａの角部に応じた折曲溝２５，２５，２５，２５及び溝構成片部２３，２３，２３，２３を折り曲げるための端部折曲溝２６，２６，２６，２６が設けられている。
このような構成により、本実施形態では、素パネル２Ａの幅方向両方の側端部において対向される各表面基材２０Ａ，２０Ａの各端部としての溝構成片部２３，２３，２３，２３を、溝部３，３の両溝内側面２３ａ，２３ａ，２３ａ，２３ａを構成するものとしている。
【００５６】
また、本実施形態では、図５（ｃ）に示すように、シート押さえ部材３０Ａの両側の側片部３２，３２の反対向側面（パネル厚さ方向に沿う方向の外方側に向く面）に、凸部３３を設けた構成としている。これら両側の側片部３２，３２の凸部３３，３３は、パネル厚さ方向に沿う方向に突出するように設けられている。これら凸部３３，３３は、シート押さえ部材３０Ａの全長に亘って凸条となるように設けるようにしてもよく、長手方向に沿って間隔を空けて複数箇所に設けるようにしてもよい。また、図例では、各側片部３２，３２に、パネル幅方向に沿う方向に間隔を空けて複数の凸部３３，３３，３３，３３を設けた例を示している。このような凸部３３，３３をシート押さえ部材３０Ａの両側の側片部３２，３２に設けた構成とすることで、シート押さえ部材３０Ａの抜けを抑制することができる。
【００５７】
また、本実施形態では、図５に示すように、透光部材４０Ａを、上記のような鍔部４４，４４を設けていない一対の表面側透光部材４１Ａ，４１Ａを備えた構成としている。このような構成とすれば、上記第１実施形態に比べて、これら表面側透光部材４１Ａ，４１Ａの簡略化を図ることができる。
これら一対の表面側透光部材４１Ａ，４１Ａは、互いに略同寸同形状とされており、上記第１実施形態において説明した一対の表面側透光部材４１，４１のパネル厚さ方向外方側部位と同様の構成とされている。つまり、これら一対の表面側透光部材４１Ａ，４１Ａは、素パネル２Ａの厚さ方向両側の表面２１ａ，２１ａよりもパネル厚さ方向外方側に突出する突出部４２，４２を有した構成とされている。
【００５８】
また、本実施形態では、図５に示すように、透光部材４０Ａを、上記のような凹部４７，４７を設けていないスペーサー部材４５Ａを備えた構成としている。このような構成とすれば、上記第１実施形態に比べて、スペーサー部材４５Ａの簡略化を図ることができる。
また、本実施形態では、スペーサー部材４５Ａを、中実とし、パネル厚さ方向に透光可能なように、上記した表面側透光部材４１，４１と同様の透光性を有する材料から形成されたものとしている。
なお、スペーサー部材４５Ａのパネル厚さ方向両側に、上記第１実施形態と概ね同様に、一対の表面側透光部材４１Ａ，４１Ａのパネル厚さ方向内方側部位を受け入れる凹部４７，４７を設けてもよい。このような構成とすれば、上記第１実施形態と同様、スペーサー部材４５Ａに対する一対の表面側透光部材４１Ａ，４１Ａのパネル面域方向への位置決めを容易に行うことができる。
【００５９】
上記構成とされた素パネル２Ａに表面仕上シート４Ａを貼着し、建築用パネル材１Ａを表面仕上済パネル９Ａとする際には、上記と概ね同様、例えば、以下のようにしてもよい。
まず、上記と概ね同様、素パネル２Ａの下地面とされた四周表面２１ａ，２１ａ，２２ａ，２２ａ，２２ａ，２２ａに、表面仕上シート４Ａ，４Ａを貼着する。
本実施形態では、上記のように素パネル２Ａの両方の側端部に溝部３，３を設けた構成としており、図例では、２枚の表面仕上シート４Ａ，４Ａを、素パネル２Ａの厚さ方向の両面２１ａ，２１ａのそれぞれに沿わせて貼着した例を示している。また、各表面仕上シート４Ａ，４Ａの両側部位を、素パネル２Ａの両側の側端面２２ａ，２２ａ，２２ａ，２２ａに沿わせて貼着した例を示している。
これら表面仕上シート４Ａ，４Ａは、上記と概ね同様、予め素パネル２Ａの四周表面２１ａ，２１ａ，２２ａ，２２ａ，２２ａ，２２ａの寸法に応じた寸法に調整されたものとしてもよく、または、貼着現場において適宜の寸法に切断等によって調整されたものとしてもよい。また、図５（ｃ）に示すように、これら表面仕上シート４Ａ，４Ａは、素パネル２Ａの両方の側端部において対向される各表面仕上シート４Ａ，４Ａの端部５，５，５，５を各溝部３，３に差し込み可能な寸法としてもよい。
【００６０】
このように素パネル２Ａの厚さ方向両側の表面２１ａ，２１ａに表面仕上シート４Ａ，４Ａを貼着すれば、透光部材４０Ａのパネル厚さ方向両面が表面仕上シート４Ａ，４Ａに覆われた状態となる。また、表面仕上シート４Ａ，４Ａ上には、上記同様、切断ガイド７，７が形成される。これら切断ガイド７，７に沿わせるようにして、図５（ｂ）に示すように、上記同様、切断具８によって表面仕上シート４Ａ，４Ａを切断し、透光部覆い部６，６を除去して、パネル厚さ方向両面において透光部材４０Ａを露出させてもよい。
また、上記と概ね同様、図５（ｃ）に示すように、シート押さえ部材３０Ａ，３０Ａを挿入し、表面仕上済パネル９Ａとするようにしてもよい。
【００６１】
上記構成とされた本実施形態に係る建築用パネル材１Ａにおいても、上記した第１実施形態と略同様の効果を奏する。
また、本実施形態では、両方の側端部に各側端部の長手方向に沿って溝部３，３が形成されるように、芯材１０Ａの四周に薄板状の表面基材２０Ａ，２０Ａを貼着した構成としている。従って、これら両側の溝部３，３に、厚さ方向両側から貼着される表面仕上シート４Ａ，４Ａの各端部５，５，５，５を差し入れることができる。これにより、上記第１実施形態において説明したような単一の表面仕上シート４を貼着する態様とした場合と比べて、表面仕上シート４Ａ，４Ａの貼着性を向上させることができる。また、例えば、素パネル２Ａの厚さ方向両面２１ａ，２１ａ側のそれぞれに沿わせられて貼着される表面仕上シート４Ａ，４Ａの色柄等を異ならせたものとすることもでき、表面意匠の選択自由度をより向上させることができる。
【００６２】
なお、上記各実施形態では、建築用パネル材１，１Ａを、建具パネルや間仕切パネルとして用いられるものとした例を示しているが、このような態様に限られない。例えば、建築用パネル材１，１Ａを、カウンターパネルとして用いられるものや、収納部を区画する各種のパネル（天板や側板、底板、棚板、仕切板等）として用いられるもの等としてもよい。
また、上記各実施形態では、素パネル２，２Ａを、枠組みされた芯材１０，１０Ａの四周に表面基材２０，２０Ａ，２０Ａを貼着したいわゆるフラッシュパネル状とした例を示しているが、このような態様に限られない。例えば、芯材１０，１０Ａを、中実の板状部材からなるものとしてもよい。この場合は、芯材１０，１０Ａに、透光部材４０，４０Ａに応じた開口部を設けるようにしてもよい。
【００６３】
また、上記各実施形態では、透光部材４０，４０Ａを、一対の表面側透光部材４１，４１，４１Ａ，４１Ａと、スペーサー部材４５，４５Ａと、を備えた３部材からなるものとした例を示しているが、このような態様に限られない。例えば、透光部材４０，４０Ａを、２部材または１部材からなるものとしてもよい。
また、上記各実施形態では、素パネル２，２Ａの厚さ方向両側の表面２１ａ，２１ａよりも透光部材４０，４０Ａを突出させて形成された段差によって切断ガイド７，７が形成される構成とした例を示しているが、このような態様に限られない。例えば、素パネル２，２Ａの厚さ方向両側の下地面とされた表面２１ａ，２１ａよりも透光部材４０，４０Ａを凹ませて形成された段差によって切断ガイド７，７が形成される構成としてもよい。または、例えば、透光部材４０，４０Ａの厚さ方向両側の外周縁４３，４３に全周に亘って面取り部を設け、この面取り部と素パネル２，２Ａの厚さ方向両側の開口部２７，２７の内周縁とによって形成される環状凹溝によって切断ガイド７，７が形成される構成としてもよい。さらには、透光部材４０，４０Ａ自体の厚さ方向両面に外周縁４３，４３に沿うように環状に凸条や凹条を設け、これによって切断ガイド７，７が形成される構成としてもよい。
【００６４】
また、上記各実施形態では、芯材１０（，１０Ａ）のパネル幅方向一方（または両方）の側端部に、凹溝１４（，１４）を設けた構成としている。また、凹溝１４（，１４）に、溝部３（，３）を形成するように、表面基材２０（，２０Ａ，２０Ａ）の溝構成片部２３，２３を差し込んだ構成としているが、このような態様に限られない。例えば、このような凹溝１４（，１４）を設けずに、端部折曲溝２６，２６において折り曲げられ、素パネル２の少なくとも一方の側端部において対向される表面基材２０の各端部としての溝構成片部２３，２３を、溝部３の両溝内側面２３ａ，２３ａを構成するものとしてもよい。つまりは、端部折曲溝２６，２６において折り曲げられた溝構成片部２３，２３の先端面が芯材１０（，１０Ａ）の側端面１２に当接される構成とされたものとしてもよい。
【００６５】
さらには、このような端部折曲溝２６や溝構成片部２３を設けた態様に代えて、素パネル２（，２Ａ）の少なくとも一方の側端部において対向される表面基材２０（，２０Ａ，２０Ａ）の各端面が溝部３（，３）の両溝内側面を構成する態様としてもよい。この場合は、表面基材２０（，２０Ａ，２０Ａ）の各端面も下地面となるように、上記したような適宜の表面処理が施されたものとしてもよい。つまりは、種々の態様によって、素パネル２（，２Ａ）のパネル幅方向の少なくとも一方の側端部に設けられた溝部３（，３）の両溝内側面も、表面仕上シートの貼着が可能なように易貼着性の下地面としてもよい。
また、上記各実施形態では、表面基材２０，２０Ａを、薄板状の木質系基材２８の表面に下地シート２９を貼着した構成とし、かつ裏面側に芯材１０，１０Ａの角部に応じた折曲溝２５，２５，２５，２５を設けた構成とした例を示しているが、このような態様に限られない。例えば、素パネル２，２Ａの厚さ方向両面及び幅方向両側側端面のそれぞれを個別に構成する下地シートを貼着したような態様としてもよい。さらには、芯材１０，１０Ａのパネル厚さ方向の両面１１，１１及びパネル幅方向の両側側端面１２，１２のそれぞれに個別に表面基材を貼着したような態様としてもよい。この場合は、適宜、必要に応じて、素パネル２，２Ａの四周表面が易貼着性の下地面となるように上記したような表面処理を施すようにしてもよい。
【００６６】
また、上記各実施形態では、シート押さえ部材３０，３０Ａの両側の側片部３２，３２を、互いに平行状とした例を示しているが、例えば、これら両側の側片部３２，３２を、溝部３の溝底側に向かうに従い互いに近接するように傾斜するテーパ状に設けてもよい。
また、シート押さえ部材３０，３０Ａとしては、略Ｕ字溝形状（略Ｃ字溝形状、略コ字溝形状）とされたものに限られず、多角柱棒状や丸棒状等とされたものとしてもよい。
また、上記各実施形態では、シート押さえ部材３０，３０Ａを、表面仕上シート４，４Ａの端部５，５が差し入れられた状態における溝部３内に全体が収容される形状とした例を示しているが、一部がパネル幅方向に突出するような形状とされたものとしてもよい。この場合は、シート押さえ部材３０，３０Ａの少なくともこの突出部位を、緩衝性を有したものとしてもよい。また、例えば、シート押さえ部材３０，３０Ａを、パネル幅方向外方側に開口する略Ｕ字溝形状（略Ｃ字溝形状、略コ字溝形状）とし、その開口側両側縁部に溝部３の開口両縁に沿わせられる鍔部を設けたような形状とされたものとしてもよい。または、シート押さえ部材３０，３０Ａを、角柱棒状部のパネル幅方向外方側の厚さ方向両側縁部に上記同様の鍔部を設けたような形状とされたものとしてもよい。さらには、上記突出部位が中空形状等とされたものとしてもよい。
また、このようなシート押さえ部材３０，３０Ａを設けないようにしてもよい。
また、上記各実施形態では、素パネル２（，２Ａ）を、一方（または両方）の側端部に該側端部の長手方向に沿って溝部３（，３）が形成されるように、芯材１０（，１０Ａ）の四周に薄板状の表面基材２０（，２０Ａ，２０Ａ）を貼着した構成とした例を示しているが、このような溝部３（，３）を設けない構成としてもよい。
【符号の説明】
【００６７】
１，１Ａ          建築用パネル材
２，２Ａ          素パネル
１０，１０Ａ      芯材
２０，２０Ａ      表面基材
２１ａ            パネル厚さ方向の表面（下地面）
２２ａ            パネル幅方向の側端面（下地面）
２４ａ            パネル幅方向の側端面（下地面）
４０，４０Ａ      透光部材
４１，４１Ａ      表面側透光部材
４３              外周縁
４５，４５Ａ      スペーサー部材
４，４Ａ          表面仕上シート
７                切断ガイド
【図１】
2015094118.tif 000003
【図２】
2015094118.tif 000004
【図３】
2015094118.tif 000005
【図４】
2015094118.tif 000006
【図５】
2015094118.tif 000007